(57)【要約】  ファインタイミング測定（ＦＴＭ）メッセージを用いた測位のための技法が開示される。ＦＴＭ応答メッセージを与えるためのワイヤレストランシーバシステムの一例は、ＦＴＭ要求を開始局から受信するように構成し、ＦＴＭ要求が、最小デルタＦＴＭ値と、バースト数指数値と、至急（ＡＳＡＰ）値とを含み得る。トランシーバは、ワイヤレストランシーバが最小デルタＦＴＭ値とバースト数指数値とを満たすことが不可能である場合、ＦＴＭセッションが終了されることを示す、第１のＦＴＭ応答メッセージを送り得、ワイヤレストランシーバが最小デルタＦＴＭ値とバースト数指数値とを満たすことが可能である場合、ＦＴＭ要求中のＡＳＡＰ値に基づくステータス値を含む第２のＦＴＭ応答メッセージを送り得る。
2017525943.tif 000002
【特許請求の範囲】
【請求項１】
ファインタイミング測定（ＦＴＭ）セッションにおいてＦＴＭ応答メッセージを与えるためのワイヤレストランシーバシステムであって、
メモリと、
前記メモリに動作可能に結合され、
ＦＴＭ要求を開始局から受信することと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定することと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を行うように構成する少なくとも１つのプロセッサと
を備える、ワイヤレストランシーバシステム。
【請求項２】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項１に記載のワイヤレストランシーバシステム。
【請求項３】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項１に記載のワイヤレストランシーバシステム。
【請求項４】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、請求項１に記載のワイヤレストランシーバシステム。
【請求項５】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項１に記載のワイヤレストランシーバシステム。
【請求項６】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項１に記載のワイヤレストランシーバシステム。
【請求項７】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、請求項１に記載のワイヤレストランシーバシステム。
【請求項８】
前記少なくとも１つのプロセッサが、前記ＦＴＭ要求から、前記最小デルタＦＴＭ値と、前記バースト数指数値と、前記至急（ＡＳＡＰ）値とを決定することと、前記それぞれの値を前記メモリに記憶することとを行うようにさらに構成された、請求項１に記載のワイヤレストランシーバシステム。
【請求項９】
ワイヤレストランシーバシステムとのファインタイミング測定（ＦＴＭ）セッションにおいてＦＴＭ応答メッセージを与えるための方法であって、
ＦＴＭ要求を開始局から受信することと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定することと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を備える、方法。
【請求項１０】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項９に記載の方法。
【請求項１１】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項９に記載の方法。
【請求項１２】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、請求項９に記載の方法。
【請求項１３】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項９に記載の方法。
【請求項１４】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項９に記載の方法。
【請求項１５】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、請求項９に記載の方法。
【請求項１６】
前記ＦＴＭ要求から、前記最小デルタＦＴＭ値と、前記バースト数指数値と、前記至急（ＡＳＡＰ）値とを決定することと、前記それぞれの値をメモリに記憶することとをさらに備える、請求項９に記載の方法。
【請求項１７】
ワイヤレストランシーバシステムとのファインタイミング測定（ＦＴＭ）セッションにおいてＦＴＭ応答メッセージを与えるための命令を備える非一時的プロセッサ可読記憶媒体であって、
ＦＴＭ要求を開始局から受信するためのコードと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定するためのコードと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送るためのコードと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るためのコードと
を備える、非一時的プロセッサ可読記憶媒体。
【請求項１８】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項１７に記載の非一時的プロセッサ可読記憶媒体。
【請求項１９】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項１７に記載の非一時的プロセッサ可読記憶媒体。
【請求項２０】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、請求項１７に記載の非一時的プロセッサ可読記憶媒体。
【請求項２１】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項１７に記載の非一時的プロセッサ可読記憶媒体。
【請求項２２】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項１７に記載の非一時的プロセッサ可読記憶媒体。
【請求項２３】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、請求項１７に記載の非一時的プロセッサ可読記憶媒体。
【請求項２４】
前記ＦＴＭ要求から、前記最小デルタＦＴＭ値と、前記バースト数指数値と、前記至急（ＡＳＡＰ）値とを決定するためのコードと、前記それぞれの値をメモリに記憶するためのコードとをさらに備える、請求項１７に記載の非一時的プロセッサ可読記憶媒体。
【請求項２５】
ファインタイミング測定（ＦＴＭ）セッションにおいてＦＴＭ応答メッセージを与えるための装置であって、
ＦＴＭ要求を開始局から受信するための手段と、ここにおいて、前記ＦＴＭ要求が、最小デルタＦＴＭ値と、バースト数指数値と、至急（ＡＳＡＰ）値とを含む、
前記装置が前記最小デルタＦＴＭ値と前記バースト数指数値とを満たすことが可能であるかどうかを決定するための手段と、
前記装置が前記最小デルタＦＴＭ値と前記バースト数指数値とを満たすことが不可能である場合、前記ＦＴＭセッションが終了されることを示す、第１のＦＴＭ応答メッセージを送るための手段と、
前記装置が前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るための手段と
を備える、装置。
【請求項２６】
前記第２のＦＴＭ応答メッセージ中の前記ステータス値は、前記ＦＴＭ要求中の前記ＡＳＡＰ値が偽の状態を示し、前記装置が、どんな非ＡＳＡＰパラメータをも処理することが不可能である場合、前記ＦＴＭセッションが終了されることを示す、請求項２５に記載の装置。
【請求項２７】
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが可能である場合、測定交換が開始することを示す、請求項２５に記載の装置。
【請求項２８】
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが可能であるとは限らず、前進条件が満たされる場合、測定交換が開始することを示す、請求項２５に記載の装置。
【請求項２９】
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが可能である場合、測定交換が開始することを示す、請求項２５に記載の装置。
【請求項３０】
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが可能であるとは限らず、前進条件が満たされる場合、測定交換が開始することを示す、請求項２５に記載の装置。
【発明の詳細な説明】
【技術分野】
【０００１】
関連出願の相互参照
[0001]本出願は、本出願の譲受人に譲渡され、その内容全体が参照により本明細書に組み込まれる、２０１４年６月１６日に出願された「Failure Conditions for Fine Timing Measurement (FTM) Protocol」と題する米国仮出願第６２／０１２，８２６号の利益を主張する。
【０００２】
[0002]本発明の主題の実施形態は、一般にワイヤレス通信の分野に関し、より詳細には、ファインタイミング測定（ＦＴＭ：Fine Timing Measurement）手順におけるあいまいさを解決することに関する。
【背景技術】
【０００３】
[0003]ワイヤレス通信信号を受信したことに基づいてワイヤレス通信デバイス（たとえば、ワイヤレスローカルエリアネットワーク（ＷＬＡＮ）デバイス）の位置を決定するために、様々な測位技法が採用され得る。たとえば、測位技法は、モバイルデバイスと１つまたは複数のアクセスポイントとの間の１つまたは複数のファインタイミング測定（ＦＴＭ）セッションを利用することができる。測位技法は、ワイヤレス通信信号の到着時間（ＴＯＡ）、ラウンドトリップ時間（ＲＴＴ）、受信信号強度インジケータ（ＲＳＳＩ）、またはワイヤレス通信信号の到着時間差（ＴＤＯＡ）を決定するために、１つまたは複数の測定交換を利用し得る。ＲＴＴ、ＲＳＳＩ、ＴＯＡ、およびＴＤＯＡ情報は、ワイヤレス通信ネットワークにおいてワイヤレス通信デバイスの位置を決定するために使用され得る。これらのファクタは、ワイヤレスネットワーク中の１つまたは複数の局の既知の位置とともに、ワイヤレス通信デバイスのロケーションを導出するために使用され得る。
【発明の概要】
【０００４】
[0004]本開示による、ファインタイミング測定（ＦＴＭ）セッションにおいてＦＴＭ応答メッセージを与えるためのワイヤレストランシーバシステムの一例は、メモリと、メモリに動作可能に結合され、ＦＴＭ要求が、最小デルタＦＴＭ値と、バースト数指数値（number of bursts exponents value）と、至急（ＡＳＡＰ：As Soon As Possible）値とを含むような、ＦＴＭ要求を開始局から受信することと、ワイヤレストランシーバシステムが最小デルタＦＴＭ値とバースト数指数値とを満たすことが可能であるかどうかを決定することと、ワイヤレストランシーバが最小デルタＦＴＭ値とバースト数指数値とを満たすことが不可能である場合、ＦＴＭセッションが終了されることを示す、第１のＦＴＭ応答メッセージを送ることと、ワイヤレストランシーバが最小デルタＦＴＭ値とバースト数指数値とを満たすことが可能である場合、ＦＴＭ要求中のＡＳＡＰ値に基づくステータス値を含む第２のＦＴＭ応答メッセージを送ることとを行うように構成する少なくとも１つのプロセッサとを含む。
【０００５】
[0005]そのようなワイヤレストランシーバシステムの実装形態は、以下の特徴のうちの１つまたは複数を含み得る。第２のＦＴＭ応答メッセージ中のステータス値は、ＦＴＭ要求中のＡＳＡＰ値が偽の状態を示し、ワイヤレストランシーバシステムが、どんな非ＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能である場合、測定交換が開始することを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能であるとは限らず、前進条件（Go Ahead condition）が満たされる場合、測定交換が開始することを示し得る。第２のＦＴＭ応答メッセージ中のステータス値は、ＦＴＭ要求中のＡＳＡＰ値が真の状態を示し、ワイヤレストランシーバシステムが、どんなＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能である場合、測定交換が開始することを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能であるとは限らず、前進条件が満たされる場合、測定交換が開始することを示す。少なくとも１つのプロセッサは、ＦＴＭ要求から、最小デルタＦＴＭ値と、バースト数指数値と、至急（ＡＳＡＰ）値とを決定するようにさらに構成され得、それぞれの値をメモリに記憶し得る。
【０００６】
[0006]本開示による、ワイヤレストランシーバシステムとのファインタイミング測定（ＦＴＭ）セッションにおいてＦＴＭ応答メッセージを与えるための方法の一例は、ＦＴＭ要求が、最小デルタＦＴＭ値と、バースト数指数値と、至急（ＡＳＡＰ）値とを含むような、ＦＴＭ要求を開始局から受信することと、ワイヤレストランシーバシステムが最小デルタＦＴＭ値とバースト数指数値とを満たすことが可能であるかどうかを決定することと、ワイヤレストランシーバシステムが最小デルタＦＴＭ値とバースト数指数値とを満たすことが不可能である場合、ＦＴＭセッションが終了されることを示す、第１のＦＴＭ応答メッセージを送ることと、ワイヤレストランシーバシステムが最小デルタＦＴＭ値とバースト数指数値とを満たすことが可能である場合、ＦＴＭ要求中のＡＳＡＰ値に基づくステータス値を含む第２のＦＴＭ応答メッセージを送ることとを含む。
【０００７】
[0007]そのような方法の実装形態は、以下の特徴のうちの１つまたは複数を含み得る。第２のＦＴＭ応答メッセージ中のステータス値は、ＦＴＭ要求中のＡＳＡＰ値が偽の状態を示し、ワイヤレストランシーバシステムが、どんな非ＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能である場合、測定交換が開始することを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能であるとは限らず、前進条件が満たされる場合、測定交換が開始することを示し得る。第２のＦＴＭ応答メッセージ中のステータス値は、ＦＴＭ要求中のＡＳＡＰ値が真の状態を示し、ワイヤレストランシーバシステムが、どんなＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能である場合、測定交換が開始することを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能であるとは限らず、前進条件が満たされる場合、測定交換が開始することを示し得る。ＦＴＭ要求から、最小デルタＦＴＭ値と、バースト数指数値と、至急（ＡＳＡＰ）値とが決定され得、それぞれの値がメモリに記憶され得る。
【０００８】
[0008]本開示による、ワイヤレストランシーバシステムとのファインタイミング測定（ＦＴＭ）セッションにおいてＦＴＭ応答メッセージを与えるための命令を備える非一時的プロセッサ可読記憶媒体の一例は、ＦＴＭ要求が、最小デルタＦＴＭ値と、バースト数指数値と、至急（ＡＳＡＰ）値とを含むような、ＦＴＭ要求を開始局から受信するためのコードと、ワイヤレストランシーバシステムが最小デルタＦＴＭ値とバースト数指数値とを満たすことが可能であるかどうかを決定するためのコードと、ワイヤレストランシーバシステムが最小デルタＦＴＭ値とバースト数指数値とを満たすことが不可能である場合、ＦＴＭセッションが終了されることを示す、第１のＦＴＭ応答メッセージを送るためのコードと、ワイヤレストランシーバシステムが最小デルタＦＴＭ値とバースト数指数値とを満たすことが可能である場合、ＦＴＭ要求中のＡＳＡＰ値に基づくステータス値を含む第２のＦＴＭ応答メッセージを送るためのコードとを含む。
【０００９】
[0009]そのような非一時的プロセッサ可読記憶媒体の実装形態は、以下の特徴のうちの１つまたは複数を含み得る。第２のＦＴＭ応答メッセージ中のステータス値は、ＦＴＭ要求中のＡＳＡＰ値が偽の状態を示し、ワイヤレストランシーバシステムが、どんな非ＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能である場合、測定交換が開始することを示し得る。第２のＦＴＭ応答メッセージ中のステータス値は、ＦＴＭ要求中のＡＳＡＰ値が偽の状態を示し、ワイヤレストランシーバシステムが、ＦＴＭ要求中に含まれるすべての非ＡＳＡＰパラメータを処理することが可能であるとは限らず、前進条件が満たされる場合、測定交換が開始することを示し得る。第２のＦＴＭ応答メッセージ中のステータス値は、ＦＴＭ要求中のＡＳＡＰ値が真の状態を示し、ワイヤレストランシーバシステムが、どんなＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能である場合、測定交換が開始することを示し得る。第２のＦＴＭ応答メッセージ中のステータス値は、ＦＴＭ要求中のＡＳＡＰ値が真の状態を示し、ワイヤレストランシーバシステムが、ＦＴＭ要求中に含まれるすべてのＡＳＡＰパラメータを処理することが可能であるとは限らず、前進条件が満たされる場合、測定交換が開始することを示し得る。非一時的プロセッサ可読記憶媒体は、ＦＴＭ要求から、最小デルタＦＴＭ値と、バースト数指数値と、至急（ＡＳＡＰ）値とを決定するためのコードと、それぞれの値をメモリに記憶するためのコードとを含み得る。
【００１０】
[0010]本開示による、ファインタイミング測定（ＦＴＭ）セッションにおいてＦＴＭ応答メッセージを与えるための装置の一例は、ＦＴＭ要求が、最小デルタＦＴＭ値と、バースト数指数値と、至急（ＡＳＡＰ）値とを含むような、ＦＴＭ要求を開始局から受信するための手段と、装置が最小デルタＦＴＭ値とバースト数指数値とを満たすことが可能であるかどうかを決定するための手段と、装置が最小デルタＦＴＭ値とバースト数指数値とを満たすことが不可能である場合、ＦＴＭセッションが終了されることを示す、第１のＦＴＭ応答メッセージを送るための手段と、装置が最小デルタＦＴＭ値とバースト数指数値とを満たすことが可能である場合、ＦＴＭ要求中のＡＳＡＰ値に基づくステータス値を含む第２のＦＴＭ応答メッセージを送るための手段とを含む。
【００１１】
[0011]本開示による、ファインタイミング測定（ＦＴＭ）交換において使用するためのクライアント局の一例は、メモリと、メモリに動作可能に結合され、最小デルタＦＴＭ値と、バースト数指数値と、至急（ＡＳＡＰ）値とを含むＦＴＭ要求を生成することと、応答局にＦＴＭ要求を送ることと、応答局が最小デルタＦＴＭ値とバースト数指数値とを満たすことが不可能である場合、ＦＴＭセッションが終了されることを示す、第１のＦＴＭ応答メッセージを応答局から受信することと、応答局が最小デルタＦＴＭ値とバースト数指数値とを満たすことが可能である場合、ＦＴＭ要求中のＡＳＡＰ値に基づくステータス値を含む第２のＦＴＭ応答メッセージを応答局から受信することとを行うように構成された少なくとも１つのプロセッサとを含む。
【００１２】
[0012]そのようなクライアント局の実装形態は、以下の特徴のうちの１つまたは複数を含み得る。第２のＦＴＭ応答メッセージ中のステータス値は、ＦＴＭ要求中のＡＳＡＰ値が偽の状態を示し、応答局が、どんな非ＡＳＡＰパラメータをも処理することが不可能である場合、ＦＴＭセッションが終了されることを示し得る。第２のＦＴＭ応答メッセージ中のステータス値は、ＦＴＭ要求中のＡＳＡＰ値が偽の状態を示し、応答局が、ＦＴＭ要求中に含まれるすべての非ＡＳＡＰパラメータを処理することが可能である場合、測定交換が開始することを示し得る。第２のＦＴＭ応答メッセージ中のステータス値は、ＦＴＭ要求中のＡＳＡＰ値が偽の状態を示し、応答局が、ＦＴＭ要求中に含まれるすべての非ＡＳＡＰパラメータを処理することが可能であるとは限らず、前進条件が満たされる場合、測定交換が開始することを示し得る。第２のＦＴＭ応答メッセージ中のステータス値は、ＦＴＭ要求中のＡＳＡＰ値が真の状態を示し、応答局が、ＦＴＭ要求中に含まれるすべてのＡＳＡＰパラメータを処理することが可能である場合、測定交換が開始することを示し得る。第２のＦＴＭ応答メッセージ中のステータス値は、ＦＴＭ要求中のＡＳＡＰ値が真の状態を示し、応答局が、ＦＴＭ要求中に含まれるすべてのＡＳＡＰパラメータを処理することが可能であるとは限らず、前進条件が満たされる場合、測定交換が開始することを示し得る。ＦＴＭセッションは、クライアント局の位置を決定するために使用され得る。
【００１３】
[0013]本開示による、クライアント局の位置を決定するための方法の一例は、最小デルタファインタイミング測定（ＦＴＭ）値と、バースト数指数値と、至急（ＡＳＡＰ）値とを含むＦＴＭ要求を生成することと、応答局にＦＴＭ要求を送ることと、応答局が最小デルタＦＴＭ値とバースト数指数値とを満たすことが不可能である場合、ＦＴＭセッションが終了されることを示す、第１のＦＴＭ応答メッセージを応答局から受信することと、応答局が最小デルタＦＴＭ値とバースト数指数値とを満たすことが可能である場合、ＦＴＭ要求中のＡＳＡＰ値に基づくステータス値を含む第２のＦＴＭ応答メッセージを応答局から受信することと、第２のＦＴＭ応答メッセージに基づいて、応答局との１つまたは複数のＦＴＭ交換を実行することと、１つまたは複数のＦＴＭ交換に基づいて、クライアント局の位置を決定することとを含む。
【００１４】
[0014]本明細書で説明する項目および／または技法は、以下の能力のうちの１つまたは複数、ならびに言及されていない他の能力を与え得る。一貫したＦＴＭステータスフィールドが確立され得る。ＦＴＭメッセージにおけるあいまいさが解決され得る。ＦＴＭメッセージ交換の失敗ケースが対処され得る。局の能力が送信され得る。互換性のない局間のメッセージが低減され得る。ネットワークメッセージトラフィックが削減され得る。さらに、上記で言及した効果は、言及した手段以外の手段によって実現されることが可能であり得、言及した項目／技法は、必ずしも言及した効果を生じるとは限らない。
【図面の簡単な説明】
【００１５】
【図１Ａ】[0015]局間でＦＴＭメッセージを交換することが可能なワイヤレスローカルエリアネットワークの例示的なブロック図。
【図１Ｂ】[0016]位置サーバを含むワイヤレスローカルエリア通信ネットワークの例示的なネットワーク図。
【図２】[0017]例示的なＦＴＭフレームフォーマットを含むＦＴＭ交換の概念図。
【図３】[0018]受信されたＦＴＭ要求メッセージに基づいてステータス値を生成するための流れ図。
【図４Ａ】[0019]ステータス値をもつＦＴＭ応答を送るための流れ図。
【図４Ｂ】[0020]ワイヤレストランシーバシステムからＦＴＭ応答を送るための流れ図。
【図５】[0021]例示的なステータス指示フィールド値のテーブル。
【図６Ａ】[0022]ＦＴＭ応答メッセージを生成する際に使用するためのワイヤレストランシーバシステムのブロック図。
【図６Ｂ】[0023]例示的なアクセスポイントのブロック図。
【発明を実施するための形態】
【００１６】
[0024]以下の説明は、本発明の主題の技法を実施する例示的なシステム、方法、技法、命令シーケンス、およびコンピュータプログラム製品を含む。ただし、説明する実施形態は、これらの具体的な詳細なしに実施され得ることを理解されたい。たとえば、例は、ワイヤレスローカルエリアネットワーク（ＷＬＡＮ）デバイスを測位するためにファインタイミング測定（ＦＴＭ）交換を利用するが、実施形態はそのように限定されない。他の実施形態では、測位情報は、他のワイヤレス規格およびデバイス（たとえば、ＷｉＭＡＸ（登録商標）デバイス）によって与えられ得る。他の例では、説明を不明瞭にしないために、よく知られている命令インスタンス、プロトコル、構造、および技法を詳細に図示していない。
【００１７】
[0025]ワイヤレス通信ネットワークでは、（たとえば、屋内または屋外環境内の）ワイヤレス通信能力をもつワイヤレストランシーバシステムなど、電子デバイスの位置を決定することは、通信デバイス（たとえば、局）のユーザとワイヤレス通信ネットワークの事業者とのための所望の特徴であり得る。いくつかのシステムでは、通信デバイスの位置を決定するために、ラウンドトリップ時間（ＲＴＴ）技法が実装され得る。たとえば、通信デバイスは、局に要求メッセージを送信することができ、局から応答メッセージを受信することができる。要求メッセージと対応する応答メッセージとの間のラウンドトリップ時間を測定することによって、通信デバイスと局との間のレンジが決定され得る。ＲＴＴ情報を１つまたは複数の局の既知のロケーションと比較することによって、通信デバイスの位置が決定され得る。いくつかのシステムでは、通信デバイスの位置を決定するために、到着時間（ＴＯＡ）および／または到着時間差（ＴＤＯＡ）技法が実装され得る。限定ではなく例として、「Hybrid time of arrival based positioning system」と題する米国特許第８，４５７，６５５号、および「Time of arrival based positioning system」と題する米国特許第８，５２１，１８１号に記載されているプロセスが使用され得る。概して、通信デバイスは、それの位置を、局の各々から通信デバイスまでのレンジ間の差に基づいて決定し得る。一般に、通信デバイスは、１つまたは複数の局にＦＴＭ要求メッセージを送信することによって、ＲＴＴ、ＴＯＡ、またはＴＤＯＡ測位動作を開始する。それぞれのアクセスポイントに関連するＲＴＴおよび／またはＴＤＯＡタイミング情報を決定するために、ＦＴＭセッションが使用され得る。通信デバイス中の位置計算ユニットは、ＦＴＭセッションから導出されたＲＴＴおよび／またはＴＤＯＡ情報に基づいて、通信デバイスの位置を決定し得る。
【００１８】
[0026]開始局と応答局との間のＦＴＭセッションは、一般に、開始局から送られたＦＴＭ要求メッセージから始まる。ＦＴＭ要求メッセージは、ネットワーク規格に基づくデータフィールドを含み得る。たとえば、ＦＴＭ要求メッセージは、ＩＥＥＥ  Ｐ８０２．１１規格に記載されているそのようなファインタイミング測定パラメータを含み得る。次いで、ＦＴＭ応答メッセージを生成するためにＦＴＭ要求メッセージ中に含まれている情報が応答局によって処理され得る。ＦＴＭ応答メッセージは、一般に、ＦＴＭ＿１メッセージと呼ばれる。いくつかの状況では、開始局の能力（たとえば、構成）と応答局の能力とが整合されず、ＦＴＭメッセージ交換が行われないことがあるか、または行われるべきでない。たとえば、ＦＴＭ要求中のパラメータのうちのいくつかは、応答局上で動作するアルゴリズムに適合しないことがある。そのような場合、ＦＴＭセッションは、適合しない追加のメッセージトラフィックが利用可能帯域幅を利用することを回避するために、終了されるべきである。ＦＴＭセッションの早期終了は、ワイヤレス通信ネットワークのトラフィック負荷に対する通信デバイス送信の影響を最小限に抑え得る。
【００１９】
[0027]図１Ａを参照すると、ネットワーク局間でＦＴＭメッセージを交換することが可能なワイヤレスローカルエリアネットワークの例示的なブロック図が示されている。ネットワーク１００は、３つの例示的な局、すなわち第１のアクセスポイント１０２と、第２のアクセスポイント１０４と、クライアント局１２０とを含む。本明細書で提供する技法が、複数の局を備えるネットワークとともに使用され得るので、ネットワーク１００中のアクセスポイントおよびクライアント局の数は例にすぎない。第１のアクセスポイント１０２と第２のアクセスポイント１０４とは、それら自体の位置を決定することが可能な高度ＷＬＡＮアクセスポイント（たとえば、自己位置特定アクセスポイント）であり得る。アクセスポイントは、（たとえば、第１の通信経路１１２を介して）ネットワーク１００中の１つまたは複数の他のアクセスポイントと通信するように構成され得る。いくつかの実装形態では、アクセスポイントは、１つのアクセスポイントがマスタアクセスポイントとして指定され得、他のアクセスポイントがターゲットアクセスポイントとして指定され得るように構成され得る。クライアント局１２０は、ＷＬＡＮ通信機能をもつ任意の好適な電子デバイス（たとえば、ノートブックコンピュータ、タブレットコンピュータ、ネットブック、モバイルフォン、ゲーミングコンソール、携帯情報端末（ＰＤＡ）、インベントリタグなど）であり得る。さらに、図１Ａでは、クライアント局１２０は、（たとえば、第２の通信経路１１４を介して）第１のアクセスポイント１０２の通信レンジ内にあり、（たとえば、第３の通信経路１１６を介して）第２のアクセスポイント１０４の通信レンジ内にある。
【００２０】
[0028]アクセスポイントまたはクライアント局は、ネットワーク１００中の別の局とのＦＴＭメッセージ交換を開始し得る。ＦＴＭメッセージ要求は、ネットワーク規格（たとえば、ＩＥＥＥ８０２．１１）に一部準拠し得る。「開始局」という用語は、ＦＴＭ要求メッセージを送る局について説明するために使用され、「応答局」という用語は、ＦＴＭ応答メッセージ（たとえば、ＦＴＭ＿１メッセージ）で応答する局について説明するために使用される。ＦＴＭ交換は、第１のアクセスポイント１０２と第２のアクセスポイント１０４との間で、またはクライアント局１２０とアクセスポイントのうちのいずれかとの間で行われ得る。第１のアクセスポイント１０２、第２のアクセスポイント１０４、またはクライアント局１２０は、ＦＴＭ交換に基づいて位置情報（たとえば、ＲＴＴおよび／またはＴＤＯＡ情報）を決定し得る。アクセスポイントおよび／またはクライアント局は、ネットワーク１００中の他の局との追加のＦＴＭ交換を開始し得る。
【００２１】
[0029]ネットワーク１００中の局は、ＦＴＭセッション中に含まれる情報に少なくとも部分的に基づいて位置を決定するように構成され得る。いくつかの実装形態では、局は、ネットワーク１００中の局間のレンジに関する「測位方程式」を構成するために、別の局に関連する位置情報（たとえば、緯度、経度、高度）を、ＴＤＯＡタイミング情報、および／またはＲＴＴタイミング情報と組み合わせて使用し得る。たとえば、別の局に関連する位置情報、３つの他の局に関連するＴＤＯＡタイミング情報、およびＲＴＴタイミング情報を決定すると、局は、それの３次元位置を決定するために３つの測位方程式を使用し得る。他の実装形態では、局は、任意の好適な数の他の局に関連する、ネットワーク局位置情報、ＴＤＯＡタイミング情報、およびＲＴＴタイミング情報に基づいて、位置を決定し得る。たとえば、位置は、開始局の２次元位置を決定するために、２つのターゲット局に関連する局位置情報、ＴＤＯＡタイミング情報、およびＲＴＴタイミング情報からの２つの独立した測位方程式に基づき得る。
【００２２】
[0030]図１Ｂを参照すると、位置サーバを含むワイヤレスローカルエリアネットワークの例示的なネットワーク図が示されている。ネットワーク１５０は、第１のアクセスポイント１０２と、第２のアクセスポイント１０４と、位置サーバ１５２と、通信経路１５４とを含む。位置サーバ１５２は、少なくとも１つのプロセッサとメモリとを含むコンピューティングデバイスであり、コンピュータ実行可能命令を実行するように構成される。たとえば、位置サーバ１５２は、プロセッサと、非一時的メモリと、ディスクドライブと、ディスプレイと、キーボードと、マウスとを含むコンピュータシステムを備える。プロセッサは好ましくは、インテリジェントデバイス、たとえば、Ｉｎｔｅｌ（登録商標）ＣｏｒｐｏｒａｔｉｏｎまたはＡＭＤ（登録商標）によって製造されたものなどのパーソナルコンピュータ中央処理ユニット（ＣＰＵ）、マイクロコントローラ、特定用途向け集積回路（ＡＳＩＣ）などである。メモリは、ランダムアクセスメモリ（ＲＡＭ）と読取り専用メモリ（ＲＯＭ）とを含む。ディスクドライブは、ハードディスクドライブ、ＣＤ−ＲＯＭドライブ、および／またはジップドライブを含み、他の形態のドライブを含み得る。ディスプレイは、液晶ディスプレイ（ＬＣＤ）（たとえば、薄膜トランジスタ（ＴＦＴ）ディスプレイ）であるが、他の形態のディスプレイ、たとえば、陰極線管（ＣＲＴ）が許容できる。キーボードおよびマウスは、データ入力機構をユーザに与える。位置サーバ１５２は、本明細書で説明する機能を実施するようにプロセッサを制御するための命令を含んでいるプロセッサ可読、プロセッサ実行可能ソフトウェアコードを（たとえば、メモリに）記憶する。機能は、ネットワーク局（たとえば、第１のアクセスポイント１０２、第２のアクセスポイント１０４、クライアント局１２０）間の実装ＦＴＭメッセージ交換を支援し得る。ソフトウェアは、ネットワーク接続を介してダウンロードされること、ディスクからアップロードされることなどによって、メモリ上にロードされ得る。さらに、ソフトウェアは直接実行可能でないことがあり、たとえば、実行の前にコンパイルを必要とする。ネットワーク局は、通信経路１５４を介してＦＴＭおよび他の位置情報を交換するために、位置サーバ１５２と通信するように構成され得る。通信経路１５４は、ワイドエリアネットワーク（ＷＡＮ）であり得、インターネットを含むことができる。位置サーバ１５２は、局位置情報を記憶するためのデータ構造（たとえば、リレーショナルデータベース、フラットファイル）を含むことができる。たとえば、位置サーバ１５２は、局位置情報（たとえば、緯度／経度、ｘ／ｙ）、ＲＴＴ情報、ＳＩＦＳ情報、およびネットワーク局に関連する他の情報（たとえば、ＳＳＩＤ、ＭＡＣアドレス、不確実性値、カバレージエリアなど）を含むことができる。ネットワーク局は、位置サーバ１５２と通信し得、たとえば、ネットワーク局測位ソリューションにおいて使用するための局位置情報、ＳＩＦＳ情報およびＲＴＴ情報を取り出し得る。リモートサーバとしての位置サーバ１５２の構成は、例にすぎず、限定ではない。一実施形態では、位置サーバ１５２は、ネットワーク局に直接接続され得るか、または、その機能がネットワーク局中に含まれ得る。２つ以上の位置サーバが使用され得る。位置サーバ１５２は、追加のネットワーク上の他の局に関連する位置情報を含んでいる１つまたは複数のデータベースを含み得る。一例では、位置サーバ１５２は、複数のサーバユニットから構成される。
【００２３】
[0031]図２を参照すると、例示的なＦＴＭフレームフォーマットを含むＦＴＭ交換の概念図が示されている。図２００は、２つのネットワーク局、すなわち開始局２０２と、応答局２０４とを含む。開始局２０２および応答局２０４は、ネットワーク１００中のアクセスポイント（たとえば、１０２、１０４）またはクライアント局１２０であり得る。開始局２０２は、応答局２０４にＦＴＭ要求メッセージ２０６を送る。応答局２０４は、肯定応答（ＡＣＫ）メッセージ２０７を送り得る。ＦＴＭ要求メッセージ２０６は、ＦＴＭフレームフォーマット２２０を含み得る。ＦＴＭフレームフォーマット２２０中のフィールドは、通信プロトコル（たとえば、ＩＥＥＥ  Ｐ８０２．１１）に基づき得、カテゴリー、パブリックアクション（public action）、トリガ、ＬＣＩ測定要求、ロケーションシビック測定要求（location civic measurement request）、および１つまたは複数のＦＴＭパラメータ要素などのパラメータを含み得る。たとえば、ＦＴＭパラメータ要素は、バースト数指数値と、最小デルタＦＴＭ値と、至急（ＡＳＡＰ）値とを含み得る（たとえば、ＩＥＥＥ８０２．１１、セクション８．４．２．１６６）。ネットワーク局によって使用されているプロトコルのタイプ／バージョンに基づく他のパラメータも、ＦＴＭフレームフォーマット２２０含まれ得る。応答局２０４は、受信されたＦＴＭフレームフォーマット２２０中に含まれる情報に基づいて、ＦＴＭ＿１応答メッセージ２０８を生成するように構成される。応答局２０４は、次いで、開始局２０２にＦＴＭ＿１応答メッセージ２０８を送る。開始局２０２は、肯定応答（ＡＣＫ）メッセージ２０９を用いてＦＴＭ＿１応答メッセージ２０８の受信に肯定応答し得る。
【００２４】
[0032]図２をさらに参照しながら図３を参照すると、受信されたＦＴＭ要求メッセージに基づいてステータス値を生成するためのプロセス３００が、図示された段階を含む。ただし、プロセス３００は、例にすぎず、限定的なものではない。プロセス３００は、たとえば、段階を追加、削除、または並べ替えさせることによって改変され得る。応答局２０４は、第１のアクセスポイント１０２、第２のアクセスポイント１０４、またはクライアント局１２０であり得る。
【００２５】
[0033]段階３０２において、応答局２０４は、ＦＴＭフレームフォーマット２２０中に示されたパラメータを含むＦＴＭ要求メッセージ２０６を受信するように構成される。開始局２０２は、ＡＳＡＰフィールドを真の状態を表す値（たとえば、１の値）に設定することによって、「至急」バーストインスタンスを開始するように応答局２０４に要求することができる。概して、ＡＳＡＰ値は、ＦＴＭセッションの第１のバーストインスタンスを至急開始するようにとの開始局の要求を示す。応答局２０４は、段階３０３において、ＦＴＭフレームフォーマット２２０をパースし、ＡＳＡＰフレーム要素のための値を決定し得る。ＡＳＡＰ値が（たとえば、１に等しい）真の状態を表す場合、プロセスは段階３０８に進む。ＡＳＡＰ値が真でない（すなわち、１に等しくない偽の状態である）場合、プロセスは段階３０４に進む。
【００２６】
[0034]段階３０４および段階３０８において、応答局２０４は、ＦＴＭ要求メッセージ２０６中で受信されたパラメータが応答局２０４によって処理されることが可能であるかどうかを決定するように構成される。このコンテキストでは、可能（capable）という用語は、応答局２０４が開始局２０２による要求を実現することができることを意味する。応答局２０４がパラメータを処理することが可能でない場合、ＦＴＭ＿１応答メッセージ２０８中のステータスフィールドは、応答局２０４が要求に応答することが不可能であることと、要求局が再び同じ要求を送るべきでないこととを示すための値に設定される。図５を参照すると、値の集合、説明および値が示されている。値は、０から７の間の数を示す。対応する説明およびステータス情報のためのインデックスとして、任意のデータフィールド（たとえば、数、文字、ストリングなど）が使用され得るので、これらの数は例にすぎない。したがって、段階３０６における３のステータス値は、例にすぎず、応答局２０４が要求に応答することが不可能であることと、要求局が再び同じ要求を送るべきでないこととを示すために使用される。３のステータス値はまた、開始局２０２と応答局２０４との間のＦＴＭセッションを終了するステータスを示す。応答局２０４がパラメータを処理することが可能である場合、プロセスはそれぞれ段階３１０および段階３１２に進む。
【００２７】
[0035]段階３１０において、応答局２０４は、非ＡＳＡＰパラメータのすべてが許容できる値である（たとえば、予想されるレンジ内にある）かどうかを決定するように構成される。非ＡＳＡＰパラメータのすべてが許容される場合、段階３１４において、ＦＴＭ＿１応答メッセージ２０８中のステータスフィールドは、応答局２０４がＡＳＡＰ不可能であることと、すべての非ＡＳＡＰフィールドが許容されることと、ＡＳＡＰ＝０での測定交換が開始することとを示すための値に設定される。再び図５を参照すると、５の例示的なステータス値が、応答局２０４がＡＳＡＰ不可能であることと、すべての非ＡＳＡＰフィールドが許容されることと、ＡＳＡＰ＝０での測定交換が開始することとを示す。応答局２０４がＦＴＭ要求メッセージ２０６中の非ＡＳＡＰパラメータを許容しない場合、プロセスは段階３１８に進む。
【００２８】
[0036]段階３１２において、応答局２０４は、ＡＳＡＰパラメータのすべてが許容できる値であるかどうかを決定するように構成される。ＡＳＡＰパラメータのすべてが許容される場合、段階３１６において、ＦＴＭ＿１応答メッセージ２０８中のステータスフィールドは、応答局２０４がＡＳＡＰ可能であることと、すべてのフィールドが許容されることと、測定交換が開始しようとしていることとを示すための値に設定される。再び図５を参照すると、１の例示的なステータス値が、応答局２０４がＡＳＡＰ可能であることと、すべてのフィールドが許容されることと、測定交換が開始しようとしていることとを示す。応答局２０４がＦＴＭ要求メッセージ２０６中のＡＳＡＰパラメータを許容しない場合、プロセスは段階３２０に進む。
【００２９】
[0037]段階３１８および段階３２０において、応答局２０４は、前進条件が満たされるどうかを決定するように構成される。一例では、前進条件は、ＦＴＭセッションが開始する（すなわち、ＦＴＭ測定情報が交換される）ことを示すための指示（すなわち、フラグ、変数）であり得る。段階３１８および段階３２０の各々についての前進条件は異なり得る。段階３１８または段階３２０のいずれかにおいてそれぞれの前進条件が満たされる場合、応答局２０４は、段階３２４において、ＦＴＭ＿１応答メッセージ２０８中のステータスフィールドを、ＦＴＭ要求メッセージ２０６中の１つまたは複数のフィールドがオーバーライドされることと、測定交換が開始しようとしていることとを開始局２０２に示す値に設定する。図５を参照すると、２のステータス値が、ＦＴＭ要求メッセージ２０６中の１つまたは複数のフィールドがオーバーライドされることと、測定交換が開始しようとしていることとを開始局２０２に示す。段階３１８または段階３２０において、それぞれの前進条件が満たされない場合、それぞれ段階３２２または段階３２６においてステータス値が設定される。図５を参照すると、４のステータス値が、応答局２０４がＡＳＡＰ不可能であることと、要求が失敗したことと、開始局２０２がある時間期間（たとえば、［値］秒、ここで［値］は１秒、２秒、５秒など．．．など、可変長である）の間、新しい要求を送るべきでないこととを示す。６のステータス値が、応答局２０４がＡＳＡＰ可能であることと、要求が失敗したことと、開始局２０２がある時間期間（たとえば、［値］秒）の間、新しい要求を送るべきでないこととを示す。４または６のいずれかのステータス値は、ＦＴＭセッションを終了する。
【００３０】
[0038]開始局２０２が（たとえば、０に等しい）ＡＳＡＰ偽を要求するとき、ステータス値は、応答局２０４が（たとえば、１に等しい）ＡＳＡＰ真可能であるか否かに依存するので、すべてのステータス値が可能である。開始局２０２が（たとえば、１に等しい）ＡＳＡＰ真を要求するとき、応答局２０４がＡＳＡＰが可能である場合、ステータスは、１、２、３、６のステータス値に関連するステータス情報に限定されるべきであり、そうではなく、応答局２０４がＡＳＡＰが可能でない場合、ステータスは、ステータス値２、３、４、５に関連するステータス情報に限定されるべきである。
【００３１】
[0039]動作中、図２および図３をさらに参照しながら図４Ａを参照すると、ステータス値をもつＦＴＭ応答を送るためのプロセス４００が、図示された段階を含む。ただし、プロセス４００は、例にすぎず、限定的なものではない。プロセス４００は、たとえば、段階を追加、削除、または並べ替えさせることによって改変され得る。
【００３２】
[0040]段階４０２において、応答局２０４は、ＦＴＭ要求メッセージ２０６を開始局２０２から受信するように構成される。ＦＴＭ要求メッセージ２０６は、ＦＴＭフレームフォーマット２２０を含み得る。ＦＴＭフレームフォーマット２２０中のフィールドは、通信プロトコル（たとえば、ＩＥＥＥ  Ｐ８０２．１１）に基づき得る。他のフィールドも、ＦＴＭ要求メッセージ２０６中に含まれ得る。
【００３３】
[0041]段階４０４および段階４０６において、応答局２０４は、ＦＴＭ要求メッセージ２０６をパースすることと、それぞれ最小デルタＦＴＭ（Ｍｉｎ  Ｄｅｌｔａ  ＦＴＭ）とバースト数指数とのための値を決定することとを行うように構成される。Ｍｉｎ  Ｄｅｌｔａ  ＦＴＭ値は、連続するファインタイミング測定フレーム間の最小時間を示し得る。それは、ＦＴＭフレームの開始から後続のＦＴＭフレームの開始まで測定され得る。単位は、一般に１００マイクロ秒単位である。ＦＴＭ要求メッセージ２０６中のＭｉｎ  Ｄｅｌｔａ  ＦＴＭ値が大きすぎる（たとえば、２５．５ｍｓよりも大きい）場合、段階４１０において、ＦＴＭ＿１応答メッセージ２０８中のステータス値は、応答局２０４が要求に応答することが不可能であることと、要求局が同じ要求を送るべきでないこととを示す値に設定される。バースト数指数値は、それぞれＦＴＭ要求／ＦＴＭフレーム中に含まれる場合、いくつのバースト（２＾指数）が要求されるか／割り振られるかを示し得る。バースト数指数が０に等しい場合、ＦＴＭ＿１応答メッセージ２０８中のステータス値は、段階４１０において、応答局２０４が要求に応答することが不可能であることと、要求局が再び同じ要求を送るべきでないこととを示す値に設定される。図５を参照すると、３の例示的なステータス値が、応答局２０４が要求に応答することが不可能であることと、要求局が再び同じ要求を送るべきでないこととを示す。３のステータス値は、開始局２０２と応答局２０４との間のＦＴＭセッションを終了する。Ｍｉｎ  Ｄｅｌｔａ  ＦＴＭ値が大きすぎず、バースト数指数＝０の場合、プロセスは段階４０８に進む。
【００３４】
[0042]段階４０８において、応答局は、ＦＴＭ要求メッセージ２０６中の受信されたＡＳＡＰ値に基づいてステータス値を決定するように構成される。段階４０８において決定されたステータス値は、図３に関して説明したプロセス３００に基づく。段階４１２において、応答局は、開始局にＦＴＭ応答メッセージ２０８を送るように構成される。ＦＴＭ応答メッセージは、適切なネットワークプロトコル（たとえば、ＩＥＥＥ８０２．１１）に記載されているような、追加のフィールドを含み得る。
【００３５】
[0043]応答局２０４が、ＡＳＡＰ可能であり、ＦＴＭ要求メッセージ２０６中のすべてのパラメータを許容するとき、応答局２０４は、ＡＳＡＰ可能と、成功と、ＦＴＭセッションが続くこととを示すためのステータス指示フィールドを送るものとする。応答局２０４が、ＡＳＡＰ不可能であり、非ＡＳＡＰパラメータのすべてを許容するとき、応答局２０４は、ＡＳＡＰ不可能と、成功と、ＦＴＭセッションが続くこととを示すためのステータス指示フィールドを送るものとする。応答局２０４が、ＡＳＡＰ可能であり、ＦＴＭセッションを実現することができないとき、応答局２０４は、ＡＳＡＰ可能と、要求が失敗したことと、ＦＴＭセッションが終了することとを示すためのステータス指示フィールドを送るものとする。応答局２０４が、ＡＳＡＰ不可能であり、ＦＴＭセッションを満たすことができないとき、応答局２０４は、ＡＳＡＰ不可能と、要求が失敗したことと、ＦＴＭセッションが終了することとを示すためのステータス指示フィールドを送るものとする。応答局２０４が、ＡＳＡＰ不可能であり、非ＡＳＡＰパラメータ要求を実現することができるとき、応答局２０４は、ＡＳＡＰ不可能と、成功と、ＦＴＭセッションが続くこととを示すためのステータス指示フィールドを送るものとする。ＡＳＡＰ能力にかかわらず、応答局２０４がＭｉｎ  Ｄｅｌｔａ  ＦＴＭまたはバースト数指数＝０の制約を満たすことができないとき、応答局２０４は、要求不可能と、ＦＴＭセッションが終了することとを示すためのステータス指示フィールドを送るものとする。
【００３６】
[0044]動作中、図２、図３および図４Ａをさらに参照しながら図４Ｂを参照すると、ワイヤレストランシーバシステムからＦＴＭ応答を送るためのプロセス４５０が、図示された段階を含む。ただし、プロセス４５０は、例にすぎず、限定的なものではない。プロセス４５０は、たとえば、段階を追加、削除、または並べ替えさせることによって改変され得る。たとえば、段階４５４の決定プロセスは、随意である。ワイヤレストランシーバシステムは、アクセスポイント、クライアントデバイス、移動局、または他のネットワーク化されたシステムであり得る。
【００３７】
[0045]段階４５２において、ワイヤレストランシーバシステムは、ＦＴＭ要求を開始局から受信するように構成される。ＦＴＭ要求は、開始局２０２からのＦＴＭ要求メッセージ２０６であり得、ＦＴＭフレームフォーマット２２０を含み得る。ＦＴＭフレームフォーマット２２０中のフィールドは、通信プロトコル（たとえば、ＩＥＥＥ  Ｐ８０２．１１）に基づき得る。他のフィールドも、ＦＴＭ要求メッセージ２０６中に含まれ得る。ＦＴＭ要求は、最小デルタＦＴＭ値と、バースト数指数値と、至急（ＡＳＡＰ）値とを含み得る。
【００３８】
[0046]一実施形態では、随意の段階４５４において、ワイヤレストランシーバシステムは、ＦＴＭ要求から、最小デルタＦＴＭ値と、バースト数指数値と、至急（ＡＳＡＰ）値とを決定するように構成され得る。たとえば、ワイヤレストランシーバシステムは、ＦＴＭ要求メッセージ２０６をパースし、最小デルタＦＴＭ値と、バースト数指数値と、ＡＳＡＰ値とを決定し得る。それぞれの値は、メモリデバイスに記憶され得、機能的動作における変数として使用され得る。ＦＴＭ要求内の情報は、プロセス４５０における他の段階において必要とされるときに取得され得るので、値を決定し、記憶することは随意である。
【００３９】
[0047]段階４５６において、ワイヤレストランシーバシステムは、それが最小デルタＦＴＭ値とバースト数指数値とを満たすことが可能であるかどうかを決定するように構成され得る。たとえば、受信されたＦＴＭ要求中の最小デルタＦＴＭ値が大きすぎる（たとえば、２５．５ｍｓよりも大きい）場合、ワイヤレストランシーバシステムは、要求に応答することが不可能であり得る。バースト数指数値が０に等しい場合、ワイヤレストランシーバは、要求に応答することが不可能であり得る。ワイヤレストランシーバシステムが最小デルタＦＴＭ値、またはバースト数指数値のいずれかを満たすことが不可能である場合、プロセスは段階４５８に進む。ワイヤレストランシーバシステムが最小デルタＦＴＭ値とバースト数指数値とを満たすことが可能である場合、プロセスは段階４６０に進む。
【００４０】
[0048]段階４５８において、ワイヤレストランシーバシステムは、ワイヤレストランシーバシステムが最小デルタＦＴＭ値とバースト数指数値とを満たすことが不可能である場合、ＦＴＭセッションが終了されることを示す、第１のＦＴＭ応答メッセージを送るように構成される。たとえば、受信されたＦＴＭ要求中の最小デルタ値が大きすぎる場合、第１のＦＴＭ応答メッセージ中のステータス値は、ワイヤレストランシーバシステムが要求に応答することが不可能であることと、要求局が同じ要求を送るべきでないこととを示す値に設定され得る。同様に、バースト数指数値が０に等しい場合、対応する第１のＦＴＭ応答メッセージ中のステータス値は、応答局２０４が要求に応答することが不可能であることと、要求局が再び同じ要求を送るべきでないこととを示す値に設定され得る。第１のＦＴＭ応答メッセージは、ＦＴＭ＿１メッセージであり得、適切なネットワークプロトコル（たとえば、ＩＥＥＥ８０２．１１）に記載されているような追加のフィールドを含み得る。
【００４１】
[0049]段階４６０において、ワイヤレストランシーバは、ワイヤレストランシーバシステムが最小デルタＦＴＭ値とバースト数指数値とを満たすことが可能である場合、ＦＴＭ要求中のＡＳＡＰ値に基づくステータス値を含む第２のＦＴＭ応答メッセージを送るように構成される。第２のＦＴＭ応答メッセージは、段階４５８において説明した第１のＦＴＭ応答メッセージの代替である。たとえば、応答局２０４は、ステータス値を決定するために、随意の段階４５４において決定されたＡＳＡＰ値を利用し得る。段階４６０において決定されたステータス値は、図３に関して説明したプロセス３００に基づき得る。第２のＦＴＭ応答メッセージは、ＦＴＭ＿１メッセージであり得、適切なネットワークプロトコル（たとえば、ＩＥＥＥ８０２．１１）に記載されているような追加のフィールドを含み得る。
【００４２】
[0050]実施形態は、完全にハードウェアの実施形態、（ファームウェア、常駐ソフトウェア、マイクロコードなどを含む）完全にソフトウェアの実施形態、またはソフトウェア態様とハードウェア態様とを組み合わせた実施形態の形態をとり得、本明細書では、それらをすべて概して「回路」、「モジュール」または「システム」と呼ぶことがある。さらに、本発明の主題の実施形態は、任意の有形の表現媒体で実施されるコンピュータプログラム製品の形態をとり得、その媒体は、媒体で実施されるコンピュータ使用可能プログラムコードを有する。説明した実施形態は、あらゆる考えられる変形形態が本明細書に列挙されているとは限らないので、現在記載されているか否かにかかわらず、実施形態に従ってプロセスを実行（たとえば、実施）するようにコンピュータシステム（または（１つまたは複数の）他の電子デバイス）をプログラムするために使用され得る命令を記憶した機械可読媒体を含み得る、コンピュータプログラム製品またはソフトウェアとして与えられ得る。機械可読媒体は、機械（たとえば、コンピュータ）によって読取り可能な形態（たとえば、ソフトウェア、処理アプリケーション）で情報を記憶または送信するための任意の機構を含む。機械可読媒体は、非一時的プロセッサ可読記憶媒体、機械可読記憶媒体、または機械可読信号媒体であり得る。機械可読記憶媒体は、たとえば、限定はしないが、磁気記憶媒体（たとえば、フロッピー（登録商標）ディスケット）、光記憶媒体（たとえば、ＣＤ−ＲＯＭ）、光磁気記憶媒体、読取り専用メモリ（ＲＯＭ）、ランダムアクセスメモリ（ＲＡＭ）、消去可能プログラマブルメモリ（たとえば、ＥＰＲＯＭおよびＥＥＰＲＯＭ（登録商標））、フラッシュメモリ、または電子命令を記憶するのに好適な他のタイプの有形媒体を含み得る。機械可読信号媒体は、コンピュータ可読プログラムコードがその中で実施される伝搬データ信号、たとえば、電気、光、音響、または他の形態の伝搬信号（たとえば、搬送波、赤外線信号、デジタル信号など）を含み得る。機械可読信号媒体上で実施されるプログラムコードは、限定はしないが、ワイヤライン通信媒体、ワイヤレス通信媒体、光ファイバーケーブル通信媒体、ＲＦ通信媒体、または他の通信媒体を含む、任意の好適な媒体を使用して送信され得る。
【００４３】
[0051]本実施形態の動作を実行するためのコンピュータプログラムコードは、Ｊａｖａ（登録商標）、Ｓｍａｌｌｔａｌｋ、Ｃ＋＋などのオブジェクト指向プログラミング言語、「Ｃ」プログラミング言語または同様のプログラミング言語などの従来の手続き型プログラミング言語を含む、１つまたは複数のプログラミング言語の任意の組合せで書かれ得る。プログラムコードは、完全にユーザのコンピュータ上で実行するか、部分的にユーザのコンピュータ上で実行するか、スタンドアロンソフトウェアパッケージとして実行するか、部分的にユーザのコンピュータ上と部分的にリモートコンピュータ上とで実行するか、あるいは完全にリモートコンピュータまたはサーバ上で実行し得る。後者のシナリオでは、リモートコンピュータは、ローカルエリアネットワーク（ＬＡＮ）、パーソナルエリアネットワーク（ＰＡＮ）、またはワイドエリアネットワーク（ＷＡＮ）を含む任意のタイプのネットワークを通してユーザのコンピュータに接続され得、あるいは接続は、（たとえば、インターネットサービスプロバイダを使用してインターネットを通して）外部コンピュータに対して行われ得る。
【００４４】
[0052]図６Ａを参照することは、ＦＴＭ応答メッセージを生成する際に使用するためのワイヤレストランシーバシステム６００の一実施形態のブロック図である。いくつかの実装形態では、ワイヤレストランシーバシステム６００は、クライアント局１２０など、ネットワーク１００中の局であり得る。いくつかの実施形態では、ワイヤレストランシーバシステム６００は、第１のアクセスポイント１０２および第２のアクセスポイント１０４、あるいは、ノートブックコンピュータ、タブレットコンピュータ、ネットブック、モバイルフォン、スマートフォン、ゲーミングコンソール、携帯情報端末（ＰＤＡ）、またはインベントリタグなど、デバイスで実施される他のネットワーク化されたシステムであり得る。ワイヤレストランシーバシステム６００は、ワイヤレストランシーバおよび測位能力をもつホームノードＢ（ＨＮＢ）デバイス（たとえば、あるタイプのアクセスポイント）など、他の電子システムであり得る。ワイヤレストランシーバシステム６００は、（場合によっては、複数のプロセッサ、複数のコア、複数のノードを含む、および／またはマルチスレッドを実装するなどの）プロセッサユニット６０２を含む。ワイヤレストランシーバシステム６００はメモリユニット６０６を含む。メモリユニット６０６は、システムメモリ（たとえば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ、ＮＲＡＭ、ＲＲＡＭ（登録商標）、ＳＯＮＯＳ、ＰＲＡＭなどのうちの１つまたは複数）、あるいは機械可読媒体の上記ですでに説明した可能な実現形態のうちのいずれか１つまたは複数であり得る。ワイヤレストランシーバシステム６００は、バス６１０（たとえば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓ、ＡＨＢ、ＡＸＩなど）と、ワイヤレスネットワークインターフェース（たとえば、ＷＬＡＮインターフェース、Ｂｌｕｅｔｏｏｔｈ（登録商標）インターフェース、ＷｉＭＡＸインターフェース、ＺｉｇＢｅｅ（登録商標）インターフェース、ワイヤレスＵＳＢインターフェースなど）およびワイヤードネットワークインターフェース（たとえば、イーサネット（登録商標）インターフェースなど）のうちの少なくとも１つを含むネットワークインターフェース６０４とをも含む。
【００４５】
[0053]ワイヤレストランシーバシステム６００は、通信ユニット６０８をも含む。通信ユニット６０８は、測位ユニット６１２と、受信機６１４と、送信機６１６と、１つまたは複数のアンテナ６１８とを備える。送信機６１６、アンテナ６１８、および受信機６１４は、ワイヤレス通信モジュールを形成する（送信機６１６と受信機６１４とはトランシーバ６２０である）。送信機６１６および受信機６１４は、対応するアンテナ６１８を介して１つまたは複数の局と双方向に通信するように構成される。いくつかの実施形態では、ワイヤレストランシーバシステム６００は、測位決定能力をもつＷＬＡＮ局（たとえば、あるタイプのアクセスポイント）として構成され得る。測位ユニット６１２は、アクセスポイントに関連するＲＳＳ、ＴＯＡおよび／またはＴＤＯＡタイミング情報を決定するために、局と交換されるＦＴＭセッション情報を利用することができる。測位ユニット６１２は、上記で説明したように、ＴＯＡ／ＴＤＯＡタイミング情報、および位置情報に少なくとも部分的に基づいて、ワイヤレストランシーバシステム６００の位置を決定することができる。一実施形態では、局は、上記で説明したそれらのそれぞれの動作を実行するために、それらの処理能力を使用し得る。これらの機能のうちのいずれか１つは、ハードウェアで、および／またはプロセッサユニット６０２上で部分的に（または完全に）実装され得る。たとえば、機能は、特定用途向け集積回路を用いて実装され、プロセッサユニット６０２、周辺デバイスまたはカード上のコプロセッサなどの中に論理的に実装され得る。さらに、実現形態は、より少数の構成要素、または図６Ａに示されない追加の構成要素（たとえば、ビデオカード、オーディオカード、追加のネットワークインターフェース、周辺デバイスなど）を含み得る。プロセッサユニット６０２、メモリユニット６０６、およびネットワークインターフェース６０４は、バス６１０に結合される。メモリユニット６０６は、バス６１０に結合されるものとして示されているが、プロセッサユニット６０２に結合され得る。
【００４６】
[0054]図６Ｂを参照すると、アクセスポイント６５０などのワイヤレストランシーバシステムの一例は、プロセッサ６５１を含むコンピュータシステムと、ソフトウェア６５４を含むメモリ６５２と、送信機６５６と、アンテナ６５８と、受信機６６０とを備える。アクセスポイント１０２、１０４は、図６Ｂのアクセスポイント６５０として構成され得る。送信機６５６と、アンテナ６５８と、受信機６６０とは、ワイヤレス通信モジュールを形成する（送信機６５６と受信機６６０とはトランシーバ６６２である）。送信機６５６は、アンテナ６５８のうちの１つに接続され、受信機６６０は、アンテナ６５８のうちの別のものに接続される。他の例示的なアクセスポイントは、たとえば、１つのアンテナ６５８のみをもつ、ならびに／あるいは複数の送信機６５６および／または複数の受信機６６０をもつ、異なる構成を有し得る。送信機６５６および受信機６６０は、アクセスポイント６５０がアンテナ６５８を介してクライアント局１２０と双方向に通信することができるように構成される。プロセッサ６５１は、好ましくは、インテリジェントハードウェアデバイス、たとえば、ＡＲＭ（登録商標）、Ｉｎｔｅｌ（登録商標）Ｃｏｒｐｏｒａｔｉｏｎ、またはＡＭＤ（登録商標）製のものなどの中央処理ユニット（ＣＰＵ）、マイクロコントローラ、特定用途向け集積回路（ＡＳＩＣ）などである。プロセッサ６５１は、アクセスポイント６５０において分散され得る複数の別個の物理エンティティを備え得る。メモリ６５２は、ランダムアクセスメモリ（ＲＡＭ）と読取り専用メモリ（ＲＯＭ）とを含む。メモリ６５２は、プロセッサ可読であるソフトウェア６５４と、実行されると、プロセッサ６５１に、本明細書で説明する様々な機能（説明は、機能を実施するプロセッサ６５１のみを参照し得るが）を実施させるように構成されたプロセッサ可読命令を含んでいるプロセッサ実行可能ソフトウェアコードとを記憶するプロセッサ可読記憶媒体である。代替的に、ソフトウェア６５４は、プロセッサ６５１によって直接的に実行可能でないことがあるが、プロセッサ６５１に、たとえば、コンパイルされ、実行されたとき、機能を実施することを行わせるように構成されることがある。
【００４７】
[0055]本実施形態について、様々な実装形態および活用を参照しながら説明したが、これらの実施形態は例示的なものであり、本発明の主題の範囲はそれらに限定されないことを理解されよう。概して、本明細書で説明したＦＴＭセッションを用いた測位のための技法は、任意の１つまたは複数のハードウェアシステムに一致する設備を用いて実装され得る。多くの変形、変更、追加、および改善が可能である。
【００４８】
[0056]単一の事例として本明細書で説明した構成要素、動作、または構造について、複数の事例が与えられ得る。最後に、様々な構成要素と、動作と、データストアとの間の境界はいくぶん恣意的であり、特定の動作が、特定の例示的な構成のコンテキストで示されている。機能の他の割振りが想定され、本発明の主題の範囲内に入り得る。概して、例示的な構成において別個の構成要素として提示された構造および機能は、組み合わされた構造または構成要素として実装され得る。同様に、単一の構成要素として提示された構造および機能は、別個の構成要素として実装され得る。これらおよび他の変形、変更、追加、および改善は、本発明の主題の範囲内に入り得る。
【００４９】
[0057]特許請求の範囲を含めて、本明細書で使用される場合、別段に明記されていない限り、機能または動作が項目または状態「に基づく」という文は、その機能または動作が、述べられた項目または状態に基づき、述べられた項目または状態に加えて１つまたは複数の項目および／または状態に基づき得ることを意味する。
【００５０】
[0058]さらに、２つ以上の発明が開示され得る。
【図１Ａ】
2017525943.tif 000003
【図１Ｂ】
2017525943.tif 000004
【図２】
2017525943.tif 000005
【図３】
2017525943.tif 000006
【図４Ａ】
2017525943.tif 000007
【図４Ｂ】
2017525943.tif 000008
【図５】
2017525943.tif 000009
【図６Ａ】
2017525943.tif 000010
【図６Ｂ】
2017525943.tif 000011
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
ファインタイミング測定（ＦＴＭ）セッションにおいてＦＴＭ応答メッセージを与えるためのワイヤレストランシーバシステムであって、
メモリと、
前記メモリに動作可能に結合され、ＦＴＭ要求を開始局から受信するように構成された受信機と、ここにおいて、前記ＦＴＭ要求が、連続するファインタイミング測定フレーム間の最小時間を示す最小デルタＦＴＭ値と、いくつのバーストが要求されるかを示すバースト数指数値と、前記ＦＴＭセッションの第１のバーストを至急開始するようにとの前記開始局の要求を示す至急（ＡＳＡＰ）値とを含む、
前記メモリに動作可能に結合され、前記ワイヤレストランシーバシステムが前記最小デルタＦＴＭ値と前記バースト数指数値とを満たすことが可能であるかどうかを決定するように構成された少なくとも１つのプロセッサと、
前記メモリに動作可能に結合され、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を行うように構成された送信機と
を備える、ワイヤレストランシーバシステム。
【請求項２】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項１に記載のワイヤレストランシーバシステム。
【請求項３】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項１に記載のワイヤレストランシーバシステム。
【請求項４】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが不可能であり、前進条件が満たされる場合、測定交換が開始することを示す、請求項１に記載のワイヤレストランシーバシステム。
【請求項５】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項１に記載のワイヤレストランシーバシステム。
【請求項６】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項１に記載のワイヤレストランシーバシステム。
【請求項７】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが不可能であり、前進条件が満たされる場合、測定交換が開始することを示す、請求項１に記載のワイヤレストランシーバシステム。
【請求項８】
前記少なくとも１つのプロセッサが、前記ＦＴＭ要求から、前記最小デルタＦＴＭ値と、前記バースト数指数値と、前記至急（ＡＳＡＰ）値とを決定することと、前記それぞれの値を前記メモリに記憶することとを行うようにさらに構成された、請求項１に記載のワイヤレストランシーバシステム。
【請求項９】
ワイヤレストランシーバシステムとのファインタイミング測定（ＦＴＭ）セッションにおいてＦＴＭ応答メッセージを与えるための方法であって、
ＦＴＭ要求を開始局から受信することと、ここにおいて、前記ＦＴＭ要求が、連続するファインタイミング測定フレーム間の最小時間を示す最小デルタＦＴＭ値と、いくつのバーストが要求されるかを示すバースト数指数値と、前記ＦＴＭセッションの第１のバーストを至急開始するようにとの前記開始局の要求を示す至急（ＡＳＡＰ）値とを含む、
前記ワイヤレストランシーバシステムが前記最小デルタＦＴＭ値と前記バースト数指数値とを満たすことが可能であるかどうかを決定することと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を備える、方法。
【請求項１０】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項９に記載の方法。
【請求項１１】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項９に記載の方法。
【請求項１２】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが不可能であり、前進条件が満たされる場合、測定交換が開始することを示す、請求項９に記載の方法。
【請求項１３】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項９に記載の方法。
【請求項１４】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項９に記載の方法。
【請求項１５】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが不可能であり、前進条件が満たされる場合、測定交換が開始することを示す、請求項９に記載の方法。
【請求項１６】
前記ＦＴＭ要求から、前記最小デルタＦＴＭ値と、前記バースト数指数値と、前記至急（ＡＳＡＰ）値とを決定することと、前記それぞれの値をメモリに記憶することとをさらに備える、請求項９に記載の方法。
【請求項１７】
ワイヤレストランシーバシステムとのファインタイミング測定（ＦＴＭ）セッションにおいてＦＴＭ応答メッセージを与えるための命令を備える非一時的プロセッサ可読記憶媒体であって、
ＦＴＭ要求を開始局から受信するためのコードと、ここにおいて、前記ＦＴＭ要求が、連続するファインタイミング測定フレーム間の最小時間を示す最小デルタＦＴＭ値と、いくつのバーストが要求されるかを示すバースト数指数値と、前記ＦＴＭセッションの第１のバーストを至急開始するようにとの前記開始局の要求を示す至急（ＡＳＡＰ）値とを含む、
前記ワイヤレストランシーバシステムが前記最小デルタＦＴＭ値と前記バースト数指数値とを満たすことが可能であるかどうかを決定するためのコードと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送るためのコードと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るためのコードと
を備える、非一時的プロセッサ可読記憶媒体。
【請求項１８】
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、請求項１７に記載の非一時的プロセッサ可読記憶媒体。
【請求項１９】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、請求項１７に記載の非一時的プロセッサ可読記憶媒体。
【請求項２０】
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが不可能であり、前進条件が満たされる場合、測定交換が開始することを示す、請求項１７に記載の非一時的プロセッサ可読記憶媒体。
【請求項２１】
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、請求項１７に記載の非一時的プロセッサ可読記憶媒体。
【請求項２２】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、請求項１７に記載の非一時的プロセッサ可読記憶媒体。
【請求項２３】
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが不可能であり、前進条件が満たされる場合、測定交換が開始することを示す、請求項１７に記載の非一時的プロセッサ可読記憶媒体。
【請求項２４】
前記ＦＴＭ要求から、前記最小デルタＦＴＭ値と、前記バースト数指数値と、前記至急（ＡＳＡＰ）値とを決定するためのコードと、前記それぞれの値をメモリに記憶するためのコードとをさらに備える、請求項１７に記載の非一時的プロセッサ可読記憶媒体。
【請求項２５】
ファインタイミング測定（ＦＴＭ）セッションにおいてＦＴＭ応答メッセージを与えるための装置であって、
ＦＴＭ要求を開始局から受信するための手段と、ここにおいて、前記ＦＴＭ要求が、連続するファインタイミング測定フレーム間の最小時間を示す最小デルタＦＴＭ値と、いくつのバーストが要求されるかを示すバースト数指数値と、前記ＦＴＭセッションの第１のバーストを至急開始するようにとの前記開始局の要求を示す至急（ＡＳＡＰ）値とを含む、
前記装置が前記最小デルタＦＴＭ値と前記バースト数指数値とを満たすことが可能であるかどうかを決定するための手段と、
前記装置が前記最小デルタＦＴＭ値と前記バースト数指数値とを満たすことが不可能である場合、前記ＦＴＭセッションが終了されることを示す、第１のＦＴＭ応答メッセージを送るための手段と、
前記装置が前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るための手段と
を備える、装置。
【請求項２６】
前記第２のＦＴＭ応答メッセージ中の前記ステータス値は、前記ＦＴＭ要求中の前記ＡＳＡＰ値が偽の状態を示し、前記装置が、どんな非ＡＳＡＰパラメータをも処理することが不可能である場合、前記ＦＴＭセッションが終了されることを示す、請求項２５に記載の装置。
【請求項２７】
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが可能である場合、測定交換が開始することを示す、請求項２５に記載の装置。
【請求項２８】
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが不可能であり、前進条件が満たされる場合、測定交換が開始することを示す、請求項２５に記載の装置。
【請求項２９】
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが可能である場合、測定交換が開始することを示す、請求項２５に記載の装置。
【請求項３０】
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが不可能であり、前進条件が満たされる場合、測定交換が開始することを示す、請求項２５に記載の装置。
【手続補正２】
【補正対象書類名】明細書
【補正対象項目名】００５０
【補正方法】変更
【補正の内容】
【００５０】
[0058]さらに、２つ以上の発明が開示され得る。
以下に、本願出願の当初の特許請求の範囲に記載された発明を付記する。
［Ｃ１］
ファインタイミング測定（ＦＴＭ）セッションにおいてＦＴＭ応答メッセージを与えるためのワイヤレストランシーバシステムであって、
メモリと、
前記メモリに動作可能に結合され、
ＦＴＭ要求を開始局から受信することと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定することと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を行うように構成する少なくとも１つのプロセッサと
を備える、ワイヤレストランシーバシステム。
［Ｃ２］
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、Ｃ１に記載のワイヤレストランシーバシステム。
［Ｃ３］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、Ｃ１に記載のワイヤレストランシーバシステム。
［Ｃ４］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、Ｃ１に記載のワイヤレストランシーバシステム。
［Ｃ５］
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、Ｃ１に記載のワイヤレストランシーバシステム。
［Ｃ６］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、Ｃ１に記載のワイヤレストランシーバシステム。
［Ｃ７］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、Ｃ１に記載のワイヤレストランシーバシステム。
［Ｃ８］
前記少なくとも１つのプロセッサが、前記ＦＴＭ要求から、前記最小デルタＦＴＭ値と、前記バースト数指数値と、前記至急（ＡＳＡＰ）値とを決定することと、前記それぞれの値を前記メモリに記憶することとを行うようにさらに構成された、Ｃ１に記載のワイヤレストランシーバシステム。
［Ｃ９］
ワイヤレストランシーバシステムとのファインタイミング測定（ＦＴＭ）セッションにおいてＦＴＭ応答メッセージを与えるための方法であって、
ＦＴＭ要求を開始局から受信することと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定することと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送ることと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送ることと
を備える、方法。
［Ｃ１０］
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、Ｃ９に記載の方法。
［Ｃ１１］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、Ｃ９に記載の方法。
［Ｃ１２］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、Ｃ９に記載の方法。
［Ｃ１３］
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、Ｃ９に記載の方法。
［Ｃ１４］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、Ｃ９に記載の方法。
［Ｃ１５］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、Ｃ９に記載の方法。
［Ｃ１６］
前記ＦＴＭ要求から、前記最小デルタＦＴＭ値と、前記バースト数指数値と、前記至急（ＡＳＡＰ）値とを決定することと、前記それぞれの値をメモリに記憶することとをさらに備える、Ｃ９に記載の方法。
［Ｃ１７］
ワイヤレストランシーバシステムとのファインタイミング測定（ＦＴＭ）セッションにおいてＦＴＭ応答メッセージを与えるための命令を備える非一時的プロセッサ可読記憶媒体であって、
ＦＴＭ要求を開始局から受信するためのコードと、ここにおいて、前記ＦＴＭ要求が、最小デルタＦＴＭ値と、バースト数指数値と、至急（ＡＳＡＰ）値とを含む、
前記ワイヤレストランシーバシステムが前記最小デルタＦＴＭ値と前記バースト数指数値とを満たすことが可能であるかどうかを決定するためのコードと、
前記ワイヤレストランシーバシステムが前記最小デルタＦＴＭ値と前記バースト数指数値とを満たすことが不可能である場合、前記ＦＴＭセッションが終了されることを示す、第１のＦＴＭ応答メッセージを送るためのコードと、
前記ワイヤレストランシーバシステムが前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るためのコードと
を備える、非一時的プロセッサ可読記憶媒体。
［Ｃ１８］
前記第２のＦＴＭ応答メッセージ中の前記ステータス値は、前記ＦＴＭ要求中の前記ＡＳＡＰ値が偽の状態を示し、前記ワイヤレストランシーバシステムが、どんな非ＡＳＡＰパラメータをも処理することが不可能である場合、前記ＦＴＭセッションが終了されることを示す、Ｃ１７に記載の非一時的プロセッサ可読記憶媒体。
［Ｃ１９］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能である場合、測定交換が開始することを示す、Ｃ１７に記載の非一時的プロセッサ可読記憶媒体。
［Ｃ２０］
前記第２のＦＴＭ応答メッセージ中の前記ステータス値は、前記ＦＴＭ要求中の前記ＡＳＡＰ値が偽の状態を示し、前記ワイヤレストランシーバシステムが、前記ＦＴＭ要求中に含まれるすべての非ＡＳＡＰパラメータを処理することが可能であるとは限らず、前進条件が満たされる場合、測定交換が開始することを示す、Ｃ１７に記載の非一時的プロセッサ可読記憶媒体。
［Ｃ２１］
前記第２のＦＴＭ応答メッセージ中の前記ステータス値は、前記ＦＴＭ要求中の前記ＡＳＡＰ値が真の状態を示し、前記ワイヤレストランシーバシステムが、どんなＡＳＡＰパラメータをも処理することが不可能である場合、前記ＦＴＭセッションが終了されることを示す、Ｃ１７に記載の非一時的プロセッサ可読記憶媒体。
［Ｃ２２］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能である場合、測定交換が開始することを示す、Ｃ１７に記載の非一時的プロセッサ可読記憶媒体。
［Ｃ２３］
前記第２のＦＴＭ応答メッセージ中の前記ステータス値は、前記ＦＴＭ要求中の前記ＡＳＡＰ値が真の状態を示し、前記ワイヤレストランシーバシステムが、前記ＦＴＭ要求中に含まれるすべてのＡＳＡＰパラメータを処理することが可能であるとは限らず、前進条件が満たされる場合、測定交換が開始することを示す、Ｃ１７に記載の非一時的プロセッサ可読記憶媒体。
［Ｃ２４］
前記ＦＴＭ要求から、前記最小デルタＦＴＭ値と、前記バースト数指数値と、前記至急（ＡＳＡＰ）値とを決定するためのコードと、前記それぞれの値をメモリに記憶するためのコードとをさらに備える、Ｃ１７に記載の非一時的プロセッサ可読記憶媒体。
［Ｃ２５］
ファインタイミング測定（ＦＴＭ）セッションにおいてＦＴＭ応答メッセージを与えるための装置であって、
ＦＴＭ要求を開始局から受信するための手段と、ここにおいて、前記ＦＴＭ要求が、最小デルタＦＴＭ値と、バースト数指数値と、至急（ＡＳＡＰ）値とを含む、
前記装置が前記最小デルタＦＴＭ値と前記バースト数指数値とを満たすことが可能であるかどうかを決定するための手段と、
前記装置が前記最小デルタＦＴＭ値と前記バースト数指数値とを満たすことが不可能である場合、前記ＦＴＭセッションが終了されることを示す、第１のＦＴＭ応答メッセージを送るための手段と、
前記装置が前記最小デルタＦＴＭ値と前記バースト数指数値とを満たすことが可能である場合、前記ＦＴＭ要求中の前記ＡＳＡＰ値に基づくステータス値を含む第２のＦＴＭ応答メッセージを送るための手段と
を備える、装置。
［Ｃ２６］
前記第２のＦＴＭ応答メッセージ中の前記ステータス値は、前記ＦＴＭ要求中の前記ＡＳＡＰ値が偽の状態を示し、前記装置が、どんな非ＡＳＡＰパラメータをも処理することが不可能である場合、前記ＦＴＭセッションが終了されることを示す、Ｃ２５に記載の装置。
［Ｃ２７］
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが可能である場合、測定交換が開始することを示す、Ｃ２５に記載の装置。
［Ｃ２８］
前記第２のＦＴＭ応答メッセージ中の前記ステータス値は、前記ＦＴＭ要求中の前記ＡＳＡＰ値が偽の状態を示し、前記装置が、前記ＦＴＭ要求中に含まれるすべての非ＡＳＡＰパラメータを処理することが可能であるとは限らず、前進条件が満たされる場合、測定交換が開始することを示す、Ｃ２５に記載の装置。
［Ｃ２９］
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが可能である場合、測定交換が開始することを示す、Ｃ２５に記載の装置。
［Ｃ３０］
前記第２のＦＴＭ応答メッセージ中の前記ステータス値は、前記ＦＴＭ要求中の前記ＡＳＡＰ値が真の状態を示し、前記装置が、前記ＦＴＭ要求中に含まれるすべてのＡＳＡＰパラメータを処理することが可能であるとは限らず、前進条件が満たされる場合、測定交換が開始することを示す、Ｃ２５に記載の装置。
【国際調査報告】
2017525943.tif 000012
2017525943.tif 000013